(57)【要約】【課題】戸を十分に施錠することができるカマ錠の提供を目的とする。【解決手段】カマ錠１００は、ケース１０１に回転可能に支持された操作部材（第１駆動部材１０２および第２駆動部材１０３）と、ケース１０１にスライド可能に支持されたスライダ１０４と、スライダ１０４に回転可能に支持され、回転に伴ってケース１０１の外側に突出可能なカマ１０５と、スライダ１０４をケース１０１に対して一方向へ付勢する付勢部材（バネ１０６）と、カマ１０５と操作部材（第１駆動部材１０２および第２駆動部材１０３）とを連動させる連動手段（連動部材１０７）と、カマ１０５が回転に伴ってケース１０１の外側の所定位置Ｐまで突出すると、カマ１０５を回転可能に支持しているスライダ１０４がケース１０１に対して一方向へスライドすることを許容する許容手段（ストッパ１０８）と、を有する。【選択図】図６Ｂ
2019044372.tif 000002
【特許請求の範囲】
【請求項１】
ケースに回転可能に支持された操作部材と、
前記ケースにスライド可能に支持されたスライダと、
前記スライダに回転可能に支持され、回転に伴って前記ケースの外側に突出可能なカマと、
前記スライダを前記ケースに対して一方向へ付勢する付勢部材と、
前記カマと前記操作部材とを連動させる連動手段と、
前記カマが回転に伴って前記ケースの外側の所定位置まで突出すると、前記カマを回転可能に支持している前記スライダが前記ケースに対して一方向へスライドすることを許容する許容手段と、を有するカマ錠。
【請求項２】
前記カマは、
前記所定位置まで突出するまでは、前記スライダに回転可能に支持された回転軸を中心に前記スライダに対して回転し、
前記所定位置まで突出した後は、前記スライダに対して回転しつつ、前記スライダと共に前記ケースに対して一方向にスライドする、請求項１に記載のカマ錠。
【請求項３】
前記許容手段は、前記操作部材の動作に連動して、前記スライダが前記ケースに対して一方向にスライドすることを許容する、請求項１または２に記載のカマ錠。
【請求項４】
前記許容手段は、
前記スライダに干渉して前記スライダが前記ケースに対して一方向にスライドすることを規制している状態から、
前記操作部材の回転に伴って前記操作部材から押圧されて前記スライダから離間し、
前記スライダが前記ケースに対して一方向にスライドすることを許容する、請求項３に記載のカマ錠。
【請求項５】
前記許容手段は、
前記操作部材に設けられ、
前記スライダに干渉して前記スライダが前記ケースに対して一方向にスライドすることを規制している状態から、
前記操作部材の回転に伴って前記スライダから離間しつつ、
前記スライダが前記ケースに対して一方向にスライドすることを許容する、請求項３に記載のカマ錠。
【発明の詳細な説明】
【技術分野】
【０００１】
本発明は、引戸等の施錠に用いられるカマ錠に関する。
【背景技術】
【０００２】
従来から、引戸等の施錠に用いられるカマ錠が知られている。カマ錠は、カマを回転させつつケースの外側に突出させて、建具等に設けられた受座等に引っ掛けることによって、引戸等を施錠する（例えば特許文献１を参照。）。
【先行技術文献】
【特許文献】
【０００３】
【特許文献１】特開平１０−６１２８２号公報
【発明の概要】
【発明が解決しようとする課題】
【０００４】
特許文献１に記載の構成では、カマが回転しつつケースの外側に突出し始めると同時に、そのカマがスライダと共にケースの内側にスライドし始める。このような構成では、カマをケースから十分に突出させることができず、引戸等を十分に施錠することができない虞がある。
【０００５】
本発明の目的は、戸を十分に施錠することができるカマ錠を提供することである。
【課題を解決するための手段】
【０００６】
上記目的を達成するための本発明のカマ錠は、ケースに回転可能に支持された操作部材と、前記ケースにスライド可能に支持されたスライダと、前記スライダに回転可能に支持され、回転に伴って前記ケースの外側に突出可能なカマと、前記スライダを前記ケースに対して一方向へ付勢する付勢部材と、前記カマと前記操作部材とを連動させる連動手段と、前記カマが回転に伴って前記ケースの外側の所定位置まで突出すると、前記カマを回転可能に支持している前記スライダが前記ケースに対して一方向へスライドすることを許容する許容手段と、を有する。
【発明の効果】
【０００７】
かかるカマ錠によれば、カマは、回転してケースの外側の所定位置まで突出した後に、ケースに対して一方向へスライドする。すなわち、カマは、ケースの外側に十分に突出してから、建具等に設けられた受座等に引っ掛かり、ケースに引き込まれる。したがって、カマ錠は、戸を十分に施錠することができる。
【図面の簡単な説明】
【０００８】
【図１】第１実施形態のカマ錠を示す斜視図である。
【図２】図１のカマ錠を引戸と建具に取り付け、構成部材を部分的に分解した状態を示す斜視図である。
【図３Ａ】図１のカマ錠の主要な構成部材を示す斜視図である。
【図３Ｂ】図３Ａを裏面側から示す斜視図である。
【図４Ａ】図３Ａの構成部材を部分的に分解して示す斜視図である。
【図４Ｂ】図４Ａを裏面側から示す斜視図である。
【図５Ａ】図３Ａの構成部材のうちカマ錠に特有の動作を実現するための構成部材を示す斜視図である。
【図５Ｂ】図５Ａを裏面側から示す斜視図である。
【図６Ａ】第１実施形態のカマ錠に特有の動作に関して、カマによって引戸が施錠されていない状態（開錠状態）を示す模式図であり、図５Ａを正面から視認した図に対応している。
【図６Ｂ】図６Ａに示す状態から引き続き、ストッパが完全に降下してスライダに接触してスライドを規制している状態において、スライダに回転可能に支持されたカマが、ケースの内側にスライドすることなくＡ軸を中心にして反時計回りに回転している状態を示す模式図である。
【図６Ｃ】図６Ｂに示す状態から引き続き、カマがケースの内側にスライドすることなくＡ軸を中心にして反時計回りに回転している状態において、スライダのスライドを規制しているストッパが上昇している状態を示す模式図である。
【図６Ｄ】図６Ｃに示す状態から引き続き、ストッパが完全に上昇してスライダのスライドを許容している状態において、スライダに回転可能に支持されたカマが、スライダと共にケースの内側にスライドしつつスライダに対して回転している状態を示す模式図である。
【図６Ｅ】図６Ｄに示す状態から引き続き、カマによって引戸が施錠された状態（施錠状態）を示す模式図である。
【図７】図６Ａ〜図６Ｄのカマ錠の主要な構成部材を重ねて示す模式図である。
【図８Ａ】第２実施形態のカマ錠に特有の構成および動作に関して、カマによって引戸が施錠されていない状態（開錠状態）を示す模式図である。
【図８Ｂ】図８Ａに示す状態から引き続き、反時計回りに回転している操作部材（第２駆動部材２０３）の凸部がスライダの当接部に接触することによってスライダのスライドを規制しつつ、カマがケースの内側にスライドすることなくＡ軸を中心にして反時計回りに回転している状態を示す模式図である。
【図８Ｃ】図８Ｂに示す状態から引き続き、反時計回りに回転している操作部材（第２駆動部材２０３）の凸部がスライダの当接部から徐々に離間することによってスライダのスライドを徐々に許容しつつ、カマがスライダと共にケースの内側にスライドしながらスライダに対して回転し、カマによって引戸が施錠された状態（施錠状態）を示す模式図である。
【発明を実施するための形態】
【０００９】
以下、添付した図面を参照しつつ、本発明の実施形態を説明する。図面において、同一の部材には同一の符号を付し、重複する説明を省略する。
【００１０】
各図において、Ｘ、Ｙ、およびＺで表す矢印を使用して、カマ錠の方位を示している。Ｘによって表す矢印の方向は、カマ錠の厚み（奥行）方向Ｘを示している。Ｙによって表す矢印の方向は、カマ錠の水平（横幅）方向Ｙを示している。Ｚによって表す矢印の方向は、カマ錠の高さ方向Ｚを示している。
【００１１】
（第１実施形態）
（第１実施形態のカマ錠１００の構成）
図１〜図５Ｂを参照しつつ、カマ錠１００の構成を説明する。
【００１２】
図１は、第１実施形態のカマ錠１００を示す斜視図である。図２は、図１のカマ錠１００を引戸３０１と建具３０２に取り付け、構成部材を部分的に分解した状態を示す斜視図である。図３Ａおよび図３Ｂは、図１のカマ錠１００の主要な構成部材を示す斜視図である。図４Ａおよび図４Ｂは、図３Ａおよび図３Ｂの構成部材を部分的に分解して示す斜視図である。図５Ａおよび図５Ｂは、図３Ａおよび図３Ｂの構成部材のうちカマ錠１００に特有の動作を実現するための構成部材を示す斜視図である。
【００１３】
カマ錠１００は、主要な構成部材として、以下のケース１０１〜ストッパ１０８（許容手段）を有している。
【００１４】
ケース１０１は、図３Ａ等に示すように、スライダ１０４やカマ１０５およびストッパ１０８等の構成部材を動作可能に収容するものである。
【００１５】
第１駆動部材１０２および第２駆動部材１０３（操作部材）は、図３Ａおよび図３Ｂ等に示すように、ケース１０１に回転可能に支持されている。操作部材は、厚み方向Ｘに沿って伸長させた円筒形状の第１駆動部材１０２を、水平方向Ｙおよび高さ方向Ｚに沿って延在させた矩形形状の第２駆動部材１０３に挿入して、構成している。第１駆動部材１０２の外周面には、図５Ｂに示すように、ストッパ１０８を上方または下方に押圧することによってストッパ１０８を高さ方向Ｚに沿って上下させる一対の凸部１０２ａが備えられている。第２駆動部材１０３は、図５Ａに示すように、カマ１０５と連動するための連動部材１０７と連結している。
【００１６】
スライダ１０４は、図３Ａおよび図４Ａ等に示すように、水平方向Ｙおよび高さ方向Ｚに沿って延在させ、水平方向に相対的に長い矩形形状からなる。スライダ１０４は、第１駆動部材１０２および第２駆動部材１０３（操作部材）等を挿通させる長方形状の開口を備えている。スライダ１０４は、ケース１０１内において、水平方向Ｙに沿ってスライド可能に支持されている。スライダ１０４は、カマ１０５をケース１０１に対して一方向（ケース１０１の更に内側に向かう方向であって、例えば図３Ａの右側に向かう方向に相当する。）にスライドする。
【００１７】
カマ１０５は、図３Ａおよび図４Ａ等に示すように、水平方向Ｙおよび高さ方向Ｚに沿って延在させた逆Ｕ字形状からなる。カマ１０５は、スライダ１０４に回転可能に支持され、回転に伴ってケース１０１の外側に突出可能である。カマ１０５は、図３Ａに示すように、スライダ１０４に回転可能に支持されたＡ軸（第１の回転軸）を中心にスライダ１０４に対して回転する。同様に、カマ１０５は、スライダ１０４に対して回転しつつ、スライダ１０４と共にケース１０１の内側（図３Ａの右側）にスライドする。具体的には、カマ１０５は、スライダ１０４に対して回転するときに、連動部材１０７に回転可能に支持されたＢ軸（第２の回転軸）を軸にして回転することになる。Ｂ軸の中心は、カマ１０５が回転している時に、偏心する（少しずつ位置がずれる）。
【００１８】
バネ１０６（付勢部材）は、図５Ａおよび図５Ｂ等に示すように、例えば圧縮コイルバネから構成され、スライダ１０４の内側からスライダ１０４の側部を水平方向Ｙに沿って押圧して、スライダ１０４をケース１０１の内側（例えば図５Ａの右側）へ付勢するものである。付勢部材は、バネ１０６に限定されることはなく、板バネや弾性力を有したゴムによって構成してもよい。
【００１９】
連動部材１０７（連動手段）は、図５Ａおよび図５Ｂ等に示すように、例えば両端に連結用の円形状の開口を備えた長方形状のプレートからなり、カマ１０５と操作部材（第２駆動部材１０３）とを連動させる。
【００２０】
ストッパ１０８（許容手段）は、図４Ａ、図４Ｂ、および図５Ｂ等に示し、カマ１０５が回転に伴ってケース１０１の外側の所定位置まで突出すると、カマ１０５を回転可能に支持しているスライダ１０４がケース１０１に対して一方向（ケース１０１の更に内側に向かう方向）へスライドすることを許容する。ストッパ１０８は、図５Ｂに示す下部１０８ａが、スライダ１０４の当接部１０４ａに当接している間、スライダ１０４がケース１０１の更に内側にスライドすることを規制する。同様に、ストッパ１０８は、図５Ｂに示す上部１０８ｂが第１駆動部材１０２の回転に伴って凸部１０２ａから押圧されて、下部１０８ａがスライダ１０４の当接部１０４ａから離間している間、スライダ１０４がケース１０１の更に内側にスライドすることを許容する。
【００２１】
カマ錠１００は、その他の構成部材として、以下の回転軸１０９〜裏面側左筺体１４１等を有している。
【００２２】
図２〜図３Ｂ等に示す回転軸１０９は、角柱形状からなり、第１駆動部材１０２に挿入され、第１駆動部材１０２および第２駆動部材１０３と連動して回転する。図１および図２に示す取手１１０は、回転軸１０９の端部に接合され、把持して回転させることによって、回転軸１０９を回転させる。
【００２３】
図４Ａおよび図５Ａ等に示す連結ピン１１１は、カマ１０５の一端とスライダ１０４の一端を回転可能に連結する。連結ピン１１２は、カマ１０５と連動部材１０７の一端を回転可能に連結する。連結ピン１１３は、第２駆動部材１０３と連動部材１０７の他端を回転可能に連結する。
【００２４】
図４Ａおよび図５Ａ等に示すプレート１１４は、バネ１０６がケース１０１の外側（図５Ａの左側）に移動することを防止し、スライダ１０４との間においてバネ１０６に弾発力を発生させる。プレート１１４は、図４Ａ等に示すケース１０１に形成された縦長の溝に挿入され、かつ、図２に示す蓋１２４に形成された縦長の溝に挿入されて、固定される。支柱１１５は、コイル状のバネ１０６の内部に挿入されている。支柱１１５は、スライダ１０４とプレート１１４の間において、バネ１０６が座屈したり湾曲したりしないように、バネ１０６を内部から支持する。
【００２５】
図４Ａおよび図４Ｂ等に示す連動部材１１６は、その一端が連結ピン１１７によって第２駆動部材１０３に連結され、その他端が連結ピン１１８に連結されている。連結ピン１１８は、ケース１０１に高さ方向Ｚに沿って開口した長穴に挿入され、ねじりコイルバネ１１９によって下方に押圧されている。連動部材１１６〜ねじりコイルバネ１１９は、第１駆動部材１０２および第２駆動部材１０３を付勢する。連動部材１１６〜ねじりコイルバネ１１９は、第１駆動部材１０２および第２駆動部材１０３からカマ１０５に対する付勢方向を切り替えて、カマ１０５をケース１０１の外側に突出するように回転させ、またはカマ１０５がケース１０１の内側に収納されるように回転させる。
【００２６】
図３Ａ等に示すトリガ１２０は、建具３０２に対して突出して存在を確認して悪戯を防止のためのものであって、トリガ１２０の突出を規制するトリガストッパ１２１と、トリガストッパ１２１を付勢するねじりコイルバネ１２２およびスプリングバネ１２３と共に動作する。
【００２７】
図２に示す蓋１２４は、ケース１０１側に設けたボス１２５〜１２７等を介して、ボルト１２８〜１２９等によってケース１０１に締結される。
【００２８】
図２に示す引戸３０１の表側には、ケース１０１と蓋１２４に収められた構成部材が取り付けられる。ケース１０１の側面には、第１面座１３０および第２面座１３１を重ねてネジ留めされる。引戸３０１の表側には、ケース１０１と蓋１２４に収められた構成部材を被覆するようにして、表面側右筺体１３２が取り付けられる。表面側右筺体１３２は、ボルト１３３によってケース１０１にネジ留めされる。引戸３０１の裏側には、右筺体スペーサ１３４および裏面側右筺体１３５が重ねて取り付けられる。図２に示す建具３０２の表側には、ベース１３６が取り付けられる。ベース１３６の側面には、受座１３７がネジ留めされる。建具３０２の表側には、表面側左筺体１３８が取り付けられる。表面側左筺体１３８は、ボルト１３９によってベース１３６にネジ留めされる。建具３０２の裏側には、左筺体スペーサ１４０および裏面側左筺体１４１が重ねて取り付けられる。
【００２９】
（第１実施形態のカマ錠１００に特有の動作）
図６Ａ〜図６Ｅおよび図７を参照しつつ、カマ錠１００に特有の動作を説明する。
【００３０】
図６Ａ〜図６Ｅは、カマ錠１００に特有の動作を示す模式図である。図７は、図６Ａ〜図６Ｄのカマ錠１００の主要な構成部材を重ねて示す模式図である。
【００３１】
図６Ａは、第１実施形態のカマ錠１００に特有の動作に関して、カマ１０５によって引戸３０１が施錠されていない状態（開錠状態）を示し、図５Ａを正面から視認した図に対応している。
【００３２】
図６Ａに示すように、ストッパ１０８の下部１０８ａは、スライダ１０４の当接部１０４ａに接触している。すなわち、ストッパ１０８は、スライダ１０４のスライド領域Ｓに干渉している。したがって、スライダ１０４は、ケース１０１の更に内側（図６Ａの右側）にスライドしない。
【００３３】
図６Ｂは、図６Ａに示す状態から引き続き、ストッパ１０８が完全に降下してスライダ１０４に接触してスライドを規制している状態において、スライダ１０４に回転可能に支持されたカマ１０５が、ケース１０１の内側にスライドすることなくＡ軸を中心にして反時計回りに回転している状態を示している。
【００３４】
図６Ｂに示すように、操作部材（第１駆動部材１０２および第２駆動部材１０３）を時計回りに回転させると、連動部材１０７を介してカマ１０５が連動する。カマ１０５は、Ａ軸を中心にして反時計回りに回転する。Ａ軸は、ケース１０１に対して間接的に固定された状態になっている。カマ１０５は、回転しつつ、その外側面１０５ａがケース１０１の外側の所定位置Ｐに向かうように突出する。この時、カマ１０５は、ケース１０１の内側（図６Ｂの右側）にスライドしない。
【００３５】
図６Ｃは、図６Ｂに示す状態から引き続き、カマ１０５がケース１０１の内側にスライドすることなくＡ軸を中心にして反時計回りに回転している状態において、スライダ１０４のスライドを規制しているストッパ１０８が上昇している状態を示している。
【００３６】
図６Ｃに示すように、操作部材（第１駆動部材１０２および第２駆動部材１０３）を更に時計回りに回転させると、カマ１０５がＡ軸を中心にして更に反時計回りに回転する。ここで、ストッパ１０８の上部１０８ｂは、操作部材（第１駆動部材１０２）の外周面に設けられた凸部１０２ａによって持ち上げられるように押圧される。したがって、ストッパ１０８は、高さ方向Ｚに沿って上昇する。その結果、ストッパ１０８の下部１０８ａは、スライダ１０４の当接部１０４ａから離間する。スライダ１０４は、バネ１０６によって、ケース１０１の内側（図６Ｃの右側）に向かって付勢されている。したがって、スライダ１０４は、ケース１０１の内側（図６Ｃの右側）にスライド可能になる。
【００３７】
図６Ｄは、図６Ｃに示す状態から引き続き、ストッパ１０８が完全に上昇してスライダ１０４のスライドを許容している状態において、スライダ１０４に回転可能に支持されたカマ１０５が、スライダ１０４と共にケース１０１の内側にスライドしつつスライダ１０４に対して反時計回りに回転している状態を示している。
【００３８】
図６Ｄに示すように、操作部材（第１駆動部材１０２および第２駆動部材１０３）を更に時計回りに回転させると、連動部材１０７を介してカマ１０５が連動する。すなわち、カマ１０５は、スライダ１０４と共にケース１０１の内側（図６Ｄの右側）にスライドする。同時に、カマ１０５は、スライダ１０４に対して更に反時計回りに回転する。カマ１０５は、その外側面１０５ａがケース１０１の外側の所定位置Ｐに到達する。カマ１０５は、その先端１０５ｂが建具３０２側に設けられた受座１３７に引っ掛かる。
【００３９】
図６Ｅは、図６Ｄに示す状態から引き続き、カマ１０５によって引戸３０１が施錠された状態（施錠状態）を示している。
【００４０】
図６Ｅに示すように、操作部材（第１駆動部材１０２および第２駆動部材１０３）を更に時計回りに回転させると、カマ１０５がケース１０１の内側（図６Ｅの右側）に更にスライドしつつ、カマ１０５がスライダ１０４に対して更に反時計回りに回転する。その結果、カマ１０５の先端１０５ｂは、引戸３０１側に設けられた第１面座１３０を、建具３０２側に設けられた受座１３７に引き寄せて接触させる。
【００４１】
図７は、図６Ａ〜図６Ｄのカマ錠１００の主要な構成部材を重ねて示す模式図である。
【００４２】
カマ錠１００は、図６Ａに示すように、引戸３０１側に設けられた第１面座１３０と、建具３０２側に設けられた受座１３７との間に多少隙間が有っても、図６Ｂと図６Ｃおよび図７に示すように、カマ１０５をケース１０１の外側に十分に突出させることができる。その結果、カマ錠１００は、図６Ｄおよび図７に示すように、カマ１０５の先端１０５ｂを、建具３０２側に設けられた受座１３７に十分に引っ掛けることができる。したがって、カマ錠１００は、図６Ｅに示すように、カマ１０５の先端１０５ｂによって、引戸３０１側に設けられた第１面座１３０を、建具３０２側に設けられた受座１３７に引き寄せて接触させることができる。
【００４３】
（第１実施形態のカマ錠１００に特有の作用効果）
以上説明した第１実施形態のカマ錠１００に特有の作用効果を説明する。
【００４４】
カマ錠１００は、ケース１０１に回転可能に支持された操作部材（第１駆動部材１０２および第２駆動部材１０３）と、ケース１０１にスライド可能に支持されたスライダ１０４と、スライダ１０４に回転可能に支持され、回転に伴ってケース１０１の外側に突出可能なカマ１０５と、スライダ１０４をケース１０１に対して一方向へ付勢する付勢部材（バネ１０６）と、カマ１０５と操作部材（第１駆動部材１０２および第２駆動部材１０３）とを連動させる連動手段（連動部材１０７）と、カマ１０５が回転に伴ってケース１０１の外側の所定位置Ｐまで突出すると、カマ１０５を回転可能に支持しているスライダ１０４がケース１０１に対して一方向へスライドすることを許容する許容手段（ストッパ１０８）と、を有する。
【００４５】
かかるカマ錠１００によれば、カマ１０５は、回転してケース１０１の外側の所定位置Ｐまで突出した後に、ケース１０１に対して一方向へスライドする。すなわち、カマ１０５は、ケース１０１の外側に十分に突出してから、建具３０２等に設けられた受座１３７等に引っ掛かり、ケース１０１に引き込まれる。したがって、カマ錠１００は、引戸３０１等を十分に施錠することができる。
【００４６】
さらに、かかるカマ錠１００によれば、カマ１０５が、ケース１０１の外側に十分に突出することから、ケース１０１と、建具３０２等に設けられた受座１３７との間に多少隙間があっても、建具３０２等に設けられた受座１３７に引っ掛けることができる。したがって、カマ錠１００は、引戸３０１等を十分に施錠することができる。
【００４７】
カマ錠１００において、カマ１０５は、所定位置Ｐまで突出するまでは、スライダ１０４に回転可能に支持された回転軸（第１の回転軸であってＡ軸に相当する）を中心にスライダ１０４に対して回転し、所定位置Ｐまで突出した後は、スライダ１０４に対して回転しつつ、スライダ１０４と共にケース１０１に対して一方向にスライドする、ことが好ましい。
【００４８】
かかるカマ錠１００によれば、カマ１０５をケース１０１の外側に十分に突出させてからケース１０１の内側に引き込む構成を、簡便かつ汎用性の高い構成によって具現化することができる。
【００４９】
許容手段（ストッパ１０８）は、操作部材（第１駆動部材１０２および第２駆動部材１０３）の動作に連動して、スライダ１０４がケース１０１に対して一方向にスライドすることを許容する、ことが好ましい。
【００５０】
かかるカマ錠１００によれば、操作部材（第１駆動部材１０２および第２駆動部材１０３）を動作させると共に、スライダ１０４をケース１０１に対して一方向にスライドさせることができることから、非常に容易に使用することができる。
【００５１】
カマ錠１００において、許容手段（ストッパ１０８）は、スライダ１０４に干渉してスライダ１０４がケース１０１に対して一方向にスライドすることを規制している状態から、操作部材（第１駆動部材１０２）の回転に伴って操作部材（第１駆動部材１０２）から押圧されてスライダ１０４から離間し、スライダ１０４がケース１０１に対して一方向にスライドすることを許容する、ことが好ましい。
【００５２】
かかるカマ錠１００によれば、ストッパ１０８を簡便かつ汎用性の高い構成によって具現化することができる。
【００５３】
（第２実施形態）
第２実施形態のカマ錠２００は、許容手段（凸部２０３ａ）を独立した一つの部材として構成せず、操作部材（第２駆動部材２０３）の外周面に一体に設けた凸部２０３ａとして構成している点において、上述した第１実施形態のカマ錠１００と相違する。上述した第１実施形態のカマ錠１００では、許容手段（ストッパ１０８）を独立した一つの部材として構成している。
【００５４】
第２実施形態に係るカマ錠２００ついては、第１実施形態のカマ錠１００と異なる構成を中心に説明する。
【００５５】
図８Ａ〜図８Ｃは、カマ錠２００に特有の構成および動作を示す模式図である。
【００５６】
図８Ａは、第２実施形態のカマ錠２００に特有の動作に関して、カマ２０５によって引戸３０１が施錠されていない状態（開錠状態）を示す模式図である。
【００５７】
図８Ａに示すように、第２駆動部材２０３の外周に設けられている凸部２０３ａは、スライダ２０４の当接部２０４ａに接触している。すなわち、凸部２０３ａは、スライダ２０４のスライド領域Ｓに干渉している。したがって、スライダ２０４は、ケース２０１の更に内側（図８Ａの右側）にスライドしない。
【００５８】
図８Ｂは、図８Ａに示す状態から引き続き、反時計回りに回転している操作部材（第２駆動部材２０３）の凸部２０３ａがスライダ２０４の当接部２０４ａに接触することによってスライダ２０４のスライドを規制しつつ、カマ２０５がケース２０１の内側にスライドすることなくＡ軸を中心にして反時計回りに回転している状態を示す模式図である。
【００５９】
図８Ｂに示すように、操作部材（第１駆動部材２０２および第２駆動部材２０３）を反時計回りに回転させると、連動部材２０７を介してカマ２０５が連動する。カマ２０５は、Ａ軸を中心にして反時計回りに回転する。Ａ軸は、ケース２０１に対して間接的に固定された状態になっている。カマ２０５は、回転に伴って、ケース２０１の外側に突出する。カマ２０５は、回転に伴って、その外側面２０５ａがケース２０１の外側の所定位置Ｐに突出するまで、ケース２０１の内側（図８Ｂの右側）にスライドしない。
【００６０】
図８Ｃは、図８Ｂに示す状態から引き続き、反時計回りに回転している操作部材（第２駆動部材２０３）の凸部２０３ａがスライダ２０４の当接部２０４ａから徐々に離間することによってスライダ２０４のスライドを徐々に許容しつつ、カマ２０５がスライダ２０４と共にケース２０１の内側にスライドしながらスライダ２０４に対して反時計回りに回転し、カマ２０５によって引戸３０１が施錠された状態（施錠状態）を示す模式図である。
【００６１】
図８Ｃに示すように、操作部材（第１駆動部材２０２および第２駆動部材２０３）を更に反時計回りに回転させると、第２駆動部材２０３の凸部２０３ａは、スライダ２０４の当接部２０４ａから徐々に退避する。カマ２０５は、ケース２０１の内側（図８Ｃの右側）に徐々にスライドしつつ、スライダ２０４に対して更に反時計回りに回転する。その結果、カマ２０５の先端２０５ｂは、引戸３０１側に設けられた第１面座１３０を、建具３０２側に設けられた受座１３７に引き寄せて接触させる。
【００６２】
（第２実施形態のカマ錠２００に特有の作用効果）
以上説明した第２実施形態のカマ錠２００に特有の作用効果を説明する。
【００６３】
カマ錠２００において、許容手段（凸部２０３ａ）は、操作部材（第２駆動部材２０３）に設けられ、スライダ２０４に干渉してスライダ２０４がケース２０１に対して一方向にスライドすることを規制している状態から、操作部材（第２駆動部材２０３）の回転に伴ってスライダ２０４から離間しつつ、スライダ２０４がケース２０１に対して一方向にスライドすることを許容する。
【００６４】
かかるカマ錠２００によれば、凸部２０３ａを、独立した一つの部品として構成せず、操作部材（第２駆動部材２０３）の外周面に一体に設けて構成していることから、さらに簡便かつ汎用性の高い構成によって具現化することができる。
【００６５】
本発明は、上述した第１実施形態および第２実施形態に限定されることなく、特許請求の範囲に記載された構成に基づいて様々な改変が可能であり、それらの様々な改変についても本発明の範疇である。
【符号の説明】
【００６６】
１００，２００  カマ錠、
１０１，２０１  ケース、
１０２，２０２  第１駆動部材、
１０２ａ  凸部、
１０３，２０３  第２駆動部材、
２０３ａ  凸部、
１０４，２０４  スライダ、
１０４ａ，２０４ａ  当接部、
１０５，２０５  カマ、
１０５ａ，２０５ａ  外側面、
１０５ｂ，２０５ｂ  先端、
１０６，２０６  バネ、
１０７，２０７  連動部材、
１０８    ストッパ、
１０８ａ  下部、
１０８ｂ  上部、
１０９    回転軸、
１１０    取手、
１１１    連結ピン、
１１２    連結ピン、
１１３    連結ピン、
１１４    プレート、
１１５    支柱、
１１６    連動部材、
１１７    連結ピン、
１１８    連結ピン、
１１９    ねじりコイルバネ、
１２０    トリガ、
１２１    トリガストッパ、
１２２    ねじりコイルバネ、
１２３    スプリングバネ、
１２４    蓋、
１２５    ボス、
１２６    ボス、
１２７    ボス、
１２８    ボルト、
１２９    ボルト、
１３０    第１面座、
１３１    第２面座、
１３２    表面側右筺体、
１３３    ボルト、
１３４    右筺体スペーサ、
１３５    裏面側右筺体、
１３６    ベース、
１３７    受座、
１３８    表面側左筺体、
１３９    ボルト、
１４０    左筺体スペーサ、
１４１    裏面側左筺体、
３０１    引戸、
３０２    建具、
Ｐ        所定位置、
Ｓ        スライド領域、
Ｘ  カマ錠１００およびカマ錠２００の厚み（奥行）方向、
Ｙ  カマ錠１００およびカマ錠２００の水平（横幅）方向、
Ｚ  カマ錠１００およびカマ錠２００の高さ方向。
【図１】
2019044372.tif 000003
【図２】
2019044372.tif 000004
【図３Ａ】
2019044372.tif 000005
【図３Ｂ】
2019044372.tif 000006
【図４Ａ】
2019044372.tif 000007
【図４Ｂ】
2019044372.tif 000008
【図５Ａ】
2019044372.tif 000009
【図５Ｂ】
2019044372.tif 000010
【図６Ａ】
2019044372.tif 000011
【図６Ｂ】
2019044372.tif 000012
【図６Ｃ】
2019044372.tif 000013
【図６Ｄ】
2019044372.tif 000014
【図６Ｅ】
2019044372.tif 000015
【図７】
2019044372.tif 000016
【図８Ａ】
2019044372.tif 000017
【図８Ｂ】
2019044372.tif 000018
【図８Ｃ】
2019044372.tif 000019